(57)【要約】【課題】背中などの手が届きにくい場所にも内容液を容易に噴出可能であり、また破損等の不具合も生じにくいトリガー式噴出容器を提案する。【解決手段】本発明のトリガー式噴出容器は、ベース２の支持部２ｄに揺動可能に支持される被支持部と、ノズル３ｄを前方に向けて突出させる窓孔４ｃと、後方下向きに傾いて延在する操作部４ｅと、係合部３ｅに係合する被係合部と、を有する操作レバー４と、を備え、操作レバー４への牽曳に伴うステム３ａの昇降移動によってポンプを駆動させ、ノズル３ｄから内容液を噴出させるものであって、操作レバー４は、操作部４ｅの下端部が装着筒部２ａよりも下方に位置するものであり、操作レバー４における支持部２ｄ回りの揺動可能な角度Ａ１は、ステム３ａが昇降移動する際に許容される範囲での係合部３ｅにおける支持部２ｄ回りの角度Ａ２以下である。【選択図】図３
2020083405.tif 000002
【特許請求の範囲】
【請求項１】
内容液を収容する容器本体と、
前記容器本体の口部に装着される装着筒部と、該装着筒部から上方にむけて延出される支持壁と、該支持壁の前方に設けられる支持部と、を有するベースと、
前記容器本体の内容液を吸引して圧送するポンプと、上方付勢状態で設けられ側部に係合部を有するとともに該ポンプで圧送された内容液を送給するステムと、該ステムの先端に設けられるノズルと、を有するボディと、
前記支持部に揺動可能に支持される被支持部と、前記ノズルを前方に向けて突出させる窓孔と、後方下向きに傾いて延在する操作部と、前記係合部に係合する被係合部と、を有する操作レバーと、を備え、
前記操作レバーへの牽曳に伴う前記ステムの昇降移動によって前記ポンプを駆動させ、前記ノズルから内容液を噴出させるトリガー式噴出容器であって、
前記操作レバーは、前記操作部の下端部が前記装着筒部よりも下方に位置するものであり、
前記操作レバーにおける前記支持部回りの揺動可能な角度は、前記ステムが昇降移動する際に許容される範囲での前記係合部における該支持部回りの角度以下であるトリガー式噴出容器。
【請求項２】
前記操作部は、前記ステムの上方に位置するとともに後方下向きに傾いて延在する操作部上部分と、該操作部上部分に一体に連結するとともに該操作部上部分よりも前記容器本体に近づく向きに傾いて延在する操作部下部分とを有する請求項１に記載のトリガー式噴出容器。
【請求項３】
前記操作部は、前記ステムの上方に位置するとともに後方下向きに傾いて延在する操作部上部分と、該操作部上部分に対して折り曲げ可能に連結するとともに該操作部上部分よりも前記容器本体に近づく向きに傾いて延在する操作部下部分とを有する請求項１に記載のトリガー式噴出容器。
【請求項４】
前記操作部は、前記ステムの上方に位置するとともに後方下向きに傾いて延在する操作部上部分と、該操作部上部分に対して装着可能であって該操作部上部分よりも前記容器本体に近づく向きに傾いて延在する操作部下部分とを有する請求項１に記載のトリガー式噴出容器。
【請求項５】
前記ベースは、前記装着筒部を取り囲むとともに下方に向けて延在する外周壁を有する請求項１〜４の何れか一項に記載のトリガー式噴出容器。
【発明の詳細な説明】
【技術分野】
【０００１】
本発明は、操作レバーの牽曳によってポンプを駆動させて、容器本体に収容した内容液をノズルから噴出させるトリガー式噴出容器に関する。
【背景技術】
【０００２】
各種の洗剤をはじめ、芳香剤や化粧料などの内容液を収容する容器の分野においては、操作レバーの牽曳によってポンプを駆動させて、容器本体に収容した内容液をノズルから噴出させるトリガー式噴出容器が多用されている。
【０００３】
このようなトリガー式噴出容器として、例えば特許文献１には、ノズルの位置する側と操作レバーにおける指を掛ける側が同一であって、操作者から離れる向きにノズルを指向させた状態で操作レバーを手前に引くことによって、操作者から離れる向きに内容液を噴出させるものが示されている。
【０００４】
一方、特許文献２に示された容器によれば、操作者に向かって化粧料などの内容液を噴出させることが可能である。ここで特許文献２に示された容器は、操作レバーが容器本体の上方に設けられていて、噴出口を操作者に向かって指向させた状態で、噴出口が位置する側の容器本体の胴部を親指の根元で支持し、また人差し指は操作レバーに掛けてこれを保持する。そして、操作レバーに掛けた指を下向き斜め方向に動かすことによって、例えば自分の顔や頭に化粧料などを噴出させることができる。
【先行技術文献】
【特許文献】
【０００５】
【特許文献１】特開２００４−６０６１７号公報
【特許文献２】特開２０１１−２３０８４２号公報
【発明の概要】
【発明が解決しようとする課題】
【０００６】
ところで、特許文献２の容器で内容液を噴出させる際は、操作レバーに近い容器本体の上部を保持することになる。従って、このような容器で背中などの手が届きにくい場所に内容液を噴出させることは難しい。
【０００７】
一方、このような容器において、操作レバーを長くすれば、容器本体の中間部や下部を保持することができるため、背中などにも内容液を噴出させることが容易になると考えられる。しかし、操作レバーが長くなるにつれて、操作時に加える力は変わらなくても、操作レバーによって力が伝わる部分には大きな力が加わることになるため、破損等の不具合につながるおそれがある。
【０００８】
本発明は、このような問題点を解決することを課題とするものであって、背中などの手が届きにくい場所にも内容液を容易に噴出可能であり、また過大な力が加わる要因が取り除かれて破損等の不具合も生じにくいトリガー式噴出容器を提供することを目的とする。
【課題を解決するための手段】
【０００９】
本発明は、内容液を収容する容器本体と、
前記容器本体の口部に装着される装着筒部と、該装着筒部から上方にむけて延出される支持壁と、該支持壁の前方に設けられる支持部と、を有するベースと、
前記容器本体の内容液を吸引して圧送するポンプと、上方付勢状態で設けられ側部に係合部を有するとともに該ポンプで圧送された内容液を送給するステムと、該ステムの先端に設けられるノズルと、を有するボディと、
前記支持部に揺動可能に支持される被支持部と、前記ノズルを前方に向けて突出させる窓孔と、後方下向きに傾いて延在する操作部と、前記係合部に係合する被係合部と、を有する操作レバーと、を備え、
前記操作レバーへの牽曳に伴う前記ステムの昇降移動によって前記ポンプを駆動させ、前記ノズルから内容液を噴出させるトリガー式噴出容器であって、
前記操作レバーは、前記操作部の下端部が前記装着筒部よりも下方に位置するものであり、
前記操作レバーにおける前記支持部回りの揺動可能な角度は、前記ステムが昇降移動する際に許容される範囲での前記係合部における該支持部回りの角度以下であるトリガー式噴出容器である。
【００１０】
前記操作部は、前記ステムの上方に位置するとともに後方下向きに傾いて延在する操作部上部分と、該操作部上部分に一体に連結するとともに該操作部上部分よりも前記容器本体に近づく向きに傾いて延在する操作部下部分とを有することが好ましい。
【００１１】
前記操作部は、前記ステムの上方に位置するとともに後方下向きに傾いて延在する操作部上部分と、該操作部上部分に対して折り曲げ可能に連結するとともに該操作部上部分よりも前記容器本体に近づく向きに傾いて延在する操作部下部分とを有することが好ましい。
【００１２】
前記操作部は、前記ステムの上方に位置するとともに後方下向きに傾いて延在する操作部上部分と、該操作部上部分に対して装着可能であって該操作部上部分よりも前記容器本体に近づく向きに傾いて延在する操作部下部分とを有することが好ましい。
【００１３】
前記ベースは、前記装着筒部を取り囲むとともに下方に向けて延在する外周壁を有することが好ましい。
【発明の効果】
【００１４】
上述した構成になる本発明のトリガー式噴出容器では、操作レバーにおける操作部の下端部が装着筒部よりも下方に位置しているため、容器本体の下寄り部分を支持しながら操作レバーに指を掛けるようにして保持することができる。このため、背中などの手が届きにくい場所にも内容液を容易に噴出させることができる。また、操作レバーにおける支持部回りの揺動可能な角度は、ステムに許容される昇降移動範囲での係合部における支持部回りの角度に対してそれ以下であるため、過大な力が操作レバーに作用する場合でも、ステムは過剰に移動することがなく、それ故、ステムに連結するポンプにおいても悪影響が及ぶことはない。
【００１５】
また操作部が、ステムの上方に位置するとともに後方下向きに傾いて延在する操作部上部分と、操作部上部分に対して折り曲げ可能に連結するとともに操作部上部分よりも容器本体に近づく向きに傾いて延在する操作部下部分とによって構成される場合は、操作レバーが容器本体から側方に向かって張り出す量が小さくなるため、よりコンパクトになる。
【００１６】
また操作部が、操作部下部分が操作部上部分に対して折り曲げ可能に連結するものである場合は、操作部下部分を折り曲げておけば更にコンパクトになるため、少ないスペースの場所にも置いておくことができる。
【００１７】
そして操作部を、操作部上部分に対して装着可能な操作部下部分を有するように構成する場合も、操作部下部分を装着する前の状態において更にコンパクトになるため、例えば店舗への輸送や店舗での陳列の際に操作部が邪魔にならず、取り扱いやすくなる。
【００１８】
またベースに、装着筒部を取り囲むとともに下方に向けて延在する外周壁を設ける場合は、この外周壁に、牽曳した操作レバーが押し当たるストッパーとしての機能を持たせることができる。
【図面の簡単な説明】
【００１９】
【図１】本発明に従うトリガー式噴出容器の第一実施形態を示した図（容器本体、ベース、ボディは側面図であり、その他は側面視での断面図）である。
【図２】図１に示したキャップ体につき、（ａ）は側面視での断面図であり、（ｂ）は底面図である。
【図３】図１のトリガー式噴出容器に関し、操作レバーにおける支持部回りの揺動可能な角度と、ステムが昇降移動する際に許容される範囲での係合部における支持部回りの角度との関係を示した図である。
【図４】図１に示すトリガー式噴出容器の変形例を示した図である。
【図５】本発明に従うトリガー式噴出容器の第二実施形態を示した図（容器本体、ベース、ボディは側面図であり、その他は側面視での断面図）である。
【図６】図５のトリガー式噴出容器に関し、折り曲げていた操作部下部分を伸ばした状態を示す図である。
【図７】本発明に従うトリガー式噴出容器の第三実施形態を示した図（容器本体、ベース、ボディは側面図であり、その他は側面視での断面図）である。
【図８】図７のトリガー式噴出容器に関し、未装着の操作部下部分が操作部上部分に引っ掛けられた状態を示す図である。
【図９】図７のトリガー式噴出容器に関し、未装着の操作部下部分を容器本体にフィルムで巻付けた状態を示す図である。
【発明を実施するための形態】
【００２０】
以下、本発明に従うトリガー式噴出容器の一実施形態について、図面を参照しながら説明する。なお、本明細書等における「上」、「下」の関係は、特に言及しない場合は、図１に示すように容器本体（符号１）を正立させた状態での向きをいう。また「前」とは、容器本体の中心軸線を挟んでノズル（符号３ｄ）が位置する側（図１では右側）であり、「後」とはその逆側（図１では左側）である。そして「左」、「右」とは、操作者がノズル３ｄの噴出口に対して正対した状態において、操作者にとっての左右方向である。
【００２１】
本実施形態のトリガー式噴出容器は、容器本体１と、ベース２と、ボディ３と、操作レバー４と、キャップ体５で構成されている。
【００２２】
容器本体１は、円板状をなす底部１ａと、底部１ａの外縁から上方に向けて起立する円筒状をなす胴部１ｂとを備えている。胴部１ｂの上部には、円筒状をなす口部１ｃが設けられていて、口部１ｃの外周面には、雄ねじ部１ｄが設けられている。このような形態になる容器本体１には、例えば化粧料等の内容液が収容される。また本実施形態における容器本体１は、比較的剛性の高い合成樹脂を使用して形成されている。
【００２３】
ベース２は、口部１ｃに装着される装着筒部２ａを備えている。本実施形態の装着筒部２ａは、図示したように、下部、中間部、及び上部の順で直径が小さくなるものの、全体として筒状をなすものである。装着筒部２ａの下部における内周面には、雄ねじ部１ｄに適合する雌ねじ部２ｂが設けられていて、両者を螺合させることによって、ベース２は口部１ｃに保持される。なお、アンダーカットによって保持されるようにしてもよい。またベース２は、装着筒部２ａから前方に向けて全体的に上向きに延出する支持壁２ｃを備えている。支持壁２ｃの先端部には、左右方向に突出する一対の軸部２ｄが設けられている。ここで軸部２ｄは、操作レバー４を支持する機能を有するものであって、本明細書等ではこの軸部２ｄを、「支持部」と称することもある。また本実施形態の支持壁２ｃは、その上部において、装着筒部２ａの上端部から前方に向かって上向きに傾斜する支持壁傾斜部２ｅを備えている。
【００２４】
ボディ３は、ベース２によって口部１ｃに吊り下げ保持されるものである。なお図示は省略するが、ボディ３は、容器本体１の内部に位置するとともに内容液を吸引して圧送するポンプと、底部１ａに向けて延在してポンプに内容液を送給するパイプとを備えている。またポンプには、内部に形成した通路によってポンプで圧送された内容液を送給するステム３ａが接続されている。ここで本実施形態のステム３ａは、装着筒部２ａを挿通してポンプにつながる縦部分３ｂと、縦部分３ｂの上端部から前方に向かって上向きに傾斜する傾斜部分３ｃとで構成されている。また傾斜部分３ｃの先端には、傾斜部分３ｃと同方向に指向するとともにステム３ａを通過した内容液を先端の噴出口から噴出させるノズル３ｄが設けられている。また縦部分３ｂの外周面には、概略円柱状をなすととともに操作レバー４に係合する係合部３ｅと、係合部３ｅよりもやや下方に設けられ、側面視で概略台形状をなす突起３ｆとが設けられている。なお図示した突起３ｆは、縦部分３ｂの後方に設けられているが、本実施形態では他にも、この突起３ｆに対して周方向に間隔をあけるとともに、後述するストッパー５ｃの上方に位置する他の突起３ｆも備えている。なお突起３ｆは、縦部分３ｂの全周に亘って延在するものでもよい。
【００２５】
操作レバー４は、支持壁２ｃを挟んで左右方向に一対設けられる側壁４ａを備えている。図示は省略するが側壁４ａには、軸部２ｄに係合して、操作レバー４をベース２に揺動可能に保持する凹部（第一凹部）が設けられている。操作レバー４をベース２に揺動可能に保持するには、操作レバー４に軸部を設けるとともにベース２に第一凹部を設けてもよい。また側壁４ａは、係合部３ｅに係合して、操作レバー４をベース２に対して揺動させた際にステム３ａを押し下げる不図示の凹部（第二凹部）も備えている。係合部３ｅを操作レバー４に設けるとともにステム３ａに第二凹部を設けてもよい。なお、本明細書等では、第一凹部を「被支持部」と称し、第二凹部を「被係合部」と称することもある。
【００２６】
操作レバー４の前方には、側壁４ａ同士を連結するとともに、支持壁２ｃの先端部から後方に向かって上向きに傾斜する上向き傾斜部４ｂが設けられている。また操作レバー４は、上向き傾斜部４ｂの上部において、上向き傾斜部４ｂを取り除くようにして設けられた窓孔４ｃを備えていて、窓孔４ｃを通してノズル３ｄを突出させている。なお、本実施形態の上向き傾斜部４ｂは、窓孔４ｃの下方において、下向きに傾斜するとともに側壁４ａ同士を連結する操作レバー補強部４ｄに連結している。
【００２７】
また操作レバー４は、上向き傾斜部４ｂの上端部（本実施形態では窓孔４ｃの上縁に位置する部分）から後方下向きに傾斜するとともに操作レバー４を揺動させる際に力を加える部位となる操作部４ｅを備えている。本実施形態の操作部４ｅは、ステム３ａの上方に位置するとともに後方下向きに傾いて延在する操作部上部分４ｆと、操作部上部分４ｆに一体に連結するとともに、操作部上部分４ｆよりも容器本体１に近づく向きに傾いて延在する操作部下部分４ｇとで構成されている。図１に示すように操作部下部分４ｇの下端部は、通常時は装着筒部２ａよりも下方に位置するものであって、本実施形態では、容器本体１における胴部１ｂの中間部あたりに位置している。また操作部下部分４ｇには、力を加える際に指のずれを防止するための凹状部４ｈが設けられている。また、図１においてＡ−Ａに沿う断面図で示したように、操作部下部分４ｇの内周面４ｊは、円弧状に湾曲するように形成されている。なお、内周面４ｊの形状は、円筒状をなす胴部１ｂの外周面に適合するように形作られている。
【００２８】
キャップ体５は、有蓋筒状をなし、ノズル３ｄの先端を覆うキャップ部５ａと、キャップ部５ａに連結するとともに窓孔４ｃを通してステム３ａの縦部分３ｂに向かう棒状の接続部５ｂと、接続部５ｂに連結するとともに装着筒部２ａの上端部と突起３ｆの下端部との間に介在するストッパー５ｃとを備えている。また接続部５ｂの下方には、接続部５ｂを補強する接続部補強壁５ｄが設けられている。接続部補強壁５ｄは、図１に示す例ではストッパー５ｃの上下方向中間部分に至る程度の突出量であるが、図２（ａ）に示すように、ストッパー５ｃの下端部に揃うまで突出させてもよい。なお、図１の状態よりも接続部補強壁５ｄの突出量を増やす場合は、操作レバー補強部４ｄの長さは短くして、これに干渉しないようにしておく。ここで本実施形態のストッパー５ｃは、図２（ｂ）に示すように底面視でＣ字状をなすものであって、ステム３ａの縦部分３ｂに嵌合保持されるようにしている。
【００２９】
ところで、図１に示すように本実施形態のベース２における支持壁２ｃの上部には、支持壁傾斜部２ｅを設けている。ここで支持壁傾斜部２ｅは、装着筒部２ａの上端部から窓孔４ｃに向かって延在しているため、キャップ体５を取り付けるにあたって窓孔４ｃからストッパー５ｃを挿入すると、ストッパー５ｃは、支持壁傾斜部２ｅによって装着筒部２ａの上端部と突起３ｆの下端部との間に案内される。このように支持壁傾斜部２ｅを設ける場合は、ストッパー５ｃを誘導することができるため、キャップ体５の取り付けがより行い易くなる。
【００３０】
このように構成されるトリガー式噴出容器は、ノズル３ｄがキャップ部５ａによって覆われているため、長期間使用しない場合でもノズル３ｄへの埃等の付着を防止することができる。また、キャップ体５を取り付けた状態では、操作レバー４に触れても、ストッパー５ｃによってステム３ａは移動しないため、内容液の不用意な噴出も防止することができる。
【００３１】
また、このトリガー式噴出容器によって容器本体１の内容液を噴出させるにあたっては、図３に示すようにキャップ体５を取り外し、底部１ａに近い胴部１ｂの前方を親指の根元で支持しつつ、他の指は操作レバー４の凹状部４ｈに収まるようにして、片手でこれを保持する。このようにして保持することにより、背中などの手が届きにくい場所にもノズル３ｄを指向させることができる。そして、保持した手を握りしめるようにして操作を行うと、操作レバー４が引かれてステム３ａが押し下げられ、それに伴い、ボディ３に内蔵されたポンプが作動するため、背中などに内容液を噴出させることができる。
【００３２】
ここで本実施形態の操作レバー４は、図３に示すように、操作レバー４における軸部２ｄ回りの揺動可能な角度Ａ１が、ステム３ａが昇降移動する際に許容される範囲（ステム３ａが他の部材に対して設計した以上の負荷を与えずに移動できる範囲）での係合部３ｅにおける軸部２ｄ回りの揺動可能な角度Ａ２に対して、それ以下になるように構成されている。すなわち、操作レバー４の長さが長くなることによって、少ない力で操作できる半面、やや強めの力で操作を行うと、操作レバー４が作用する部分には大きな力が加わることになるが、ステム３ａが過剰に移動することはないため、ステム３ａにつながるポンプに悪影響が及ぶことはない。
【００３３】
また本実施形態の操作レバー４は、これを容器本体１に向けて引いた際に、図３に示すように容器本体１の胴部１ｂに押し当たるようにしている。上述したように容器本体１の剛性は比較的高いため、操作レバー４が押し当たっても、胴部１ｂが内側に大きく撓むことはない。すなわち、操作レバー４を強い力で握っても、操作レバー４における軸部２ｄ回りの揺動可能な角度Ａ１が大きく変わることはないため、ポンプ等の破損を有効に防止することができる。また、胴部１ｂの外周面に押し当たる操作レバー４の内周面４ｊは、上述したように胴部１ｂの外周面に適合するように円弧状に形作られているため、内周面４ｊと胴部１ｂの外周面は全面的に密着する。すなわち、片手で握りしめた際、操作レバー４は容器本体１に対して横ずれしにくく（捩れにくく）なっているため、操作レバー４を揺動可能に支持する軸部２ｄ等に過大な負荷が加わることが防止される。
【００３４】
なお、上述した実施形態では、操作レバー４の内周面４ｊが容器本体１における胴部１ｂの外周面に全面的に押し当たって操作レバー４が停止するようにしたが、例えば操作レバー４の内周面４ｊや胴部１ｂの外周面に突起を設け、操作レバー４が引かれたときにこの突起が相手側に当接することによって操作レバー４を停止させるようにしてもよい。また、このような機能は他の部位を利用しても実現することが可能であって。例えば図４に示すベース２のように、装着筒部２ａを取り囲むとともに下方に向けて延在する外周壁２ｆを設けて、この外周壁２ｆに操作レバー４が押し当たるようにしてもよい。なお、上述した操作レバー４における軸部２ｄ回りの揺動可能な角度Ａ１は、図３に示す実施形態では、操作レバー４の内周面４ｊが胴部１ｂの外周面に全面的に押し当たる時点での角度であるが、上述した突起や外周壁２ｆを設ける場合には、これらによって操作レバー４が停止する時点での角度になる。
【００３５】
また本実施形態のトリガー式噴出容器は、例えば自分の顔に内容液を塗布する場合には、胴部１ｂの上部（ベース２でもよい）の前方を親指の根元で支持しつつ、操作レバー４の操作部上部分４ｆに力を加えるようにして操作することも可能である。この場合は、ノズル３ｄにより近いところを保持しているため、塗布したいところにノズル３ｄをより向けやすくなる。
【００３６】
次に、本発明に従うトリガー式噴出容器の第二実施形態について、図５、図６を参照しながら説明する。本実施形態のトリガー式噴出容器は、図１に示した操作レバー４に替えて、図５、図６に示す如き操作レバー１４を備えている。
【００３７】
操作レバー１４は、上述した側壁４ａと同様の構成になる側壁１４ａを備えている。なお図示は省略するが、側壁１４ａも、軸部２ｄに係合して操作レバー１４をベース２に揺動可能に保持する第一凹部と、係合部３ｅに係合して、操作レバー１４をベース２に対して揺動させた際にステム３ａを押し下げる第二凹部を備えている。また操作レバー１４は、上述した上向き傾斜部４ｂ、窓孔４ｃ、操作レバー補強部４ｄと同様の構成になる上向き傾斜部１４ｂ、窓孔１４ｃ、操作レバー補強部１４ｄも備えている。
【００３８】
そして操作部１４ｅは、ステム３ａの上方に位置するとともに後方下向きに傾いて延在する操作部上部分１４ｆと、操作部上部分１４ｆに対して折り曲げ可能に連結する操作部下部分１４ｇとで構成されている。本実施形態においては、図６に示すようにヒンジ１４ｋを介して操作部上部分１４ｆと操作部下部分１４ｇとをつないでいるが、例えば軸部と孔部との組み合わせにより折り曲げ可能としてもよい。なお、図６に示すように折り曲げていた操作部下部分１４ｇを伸ばした際、操作部下部分１４ｇは、操作部上部分１４ｆよりも胴部１ｂに近づく向きに傾いて延在する。また、伸ばした操作部下部分１４ｇは、操作部上部分１４ｆに設けた突起１４ｍが、操作部下部分１４ｇに設けた孔部１４ｎに入り込んで引っ掛かることによって、図示したように保持される。また操作部下部分１４ｇにも、力を加える際に指のずれを防止するための凹状部１４ｈが設けられている。
【００３９】
そして本実施形態のトリガー式噴出容器においても、操作部下部分１４ｇを伸ばした状態で操作レバー１４を引くことによって、背中などの手が届きにくい場所にも内容液を噴出することができる。なお図示は省略するが、本実施形態のトリガー式噴出容器においても、操作レバー１４における軸部２ｄ回りの揺動可能な角度は、ステム３ａが昇降移動する際に許容される範囲での係合部３ｅにおける軸部２ｄ回りの揺動可能な角度に対して、それ以下に設定されている。従って、ステム３ａが過剰に移動することはないため、ステム３ａにつながるポンプに悪影響が及ぶこともない。また図６に示すように、操作レバー１４を引いた際にこれが当接する部位は、比較的剛性が高い容器本体１の胴部１ｂであって、操作レバー１４における軸部２ｄ回りの揺動可能な角度が大きく変わることはないため、ポンプ等の破損を有効に防止することができる。
【００４０】
また本実施形態のトリガー式噴出容器は、図５に示すように操作部下部分１４ｇを折り曲げた状態でも、折り曲げられた操作部下部分１４ｇに力を加えることによって内容液を噴出させることが可能である。本実施形態の操作部上部分１４ｆには、折り曲げた状態において操作部下部分１４ｇに当接するリブ１４ｐが設けられている。このため、折り曲げられた操作部下部分１４ｇに力を加えた際には、ヒンジ１４ｋに大きな力を加えることなく、リブ１４ｐを介して操作部上部分１４ｆを揺動させることができる。また操作部下部分１４ｇに、これを折り曲げたときにリブ１４ｐに挿入される溝部を設けてもよく、この場合は、折り曲げた操作部下部分１４ｇが左右に捩れるように動くのを防止することができる。
【００４１】
本発明に従うトリガー式噴出容器は、図７〜図９に示した実施形態でも具現化することができる。これらの図に示した第三実施形態のトリガー式噴出容器は、図１に示した操作レバー４に替えて、操作レバー２４を備えている。
【００４２】
操作レバー２４も、上述した側壁４ａと同様の構成になる側壁２４ａを備えていて、この側壁２４ａにも、軸部２ｄに係合して操作レバー２４をベース２に揺動可能に保持する第一凹部と、係合部３ｅに係合して、操作レバー２４をベース２に対して揺動させた際にステム３ａを押し下げる第二凹部が設けられている。また、操作レバー２４は、上述した上向き傾斜部４ｂ、窓孔４ｃ、操作レバー補強部４ｄと同様の構成になる上向き傾斜部２４ｂ、窓孔２４ｃ、操作レバー補強部２４ｄも備えている。
【００４３】
そして操作部２４ｅは、ステム３ａの上方に位置するとともに後方下向きに傾いて延在する操作部上部分２４ｆと、操作部上部分２４ｆに対して装着可能な操作部下部分２４ｇとで構成されている。図７に示すように本実施形態においては、操作部上部分２４ｆに取付け孔２４ｑを設け、操作部下部分２４ｇの上端部には、この取付け孔２４ｑを通過可能なＬ字状の保持部２４ｒを設けている。また操作部下部分２４ｇの内側側面には、左右方向内側に向かって突出する係合凸部２４ｓが設けられている。そして、操作部上部分２４ｆに操作部下部分２４ｇを取り付けるにあたっては、保持部２４ｒを、取付け孔２４ｑの上方から下方に向かって通過させ、更に後方下向きにスライドさせることによって、取付け孔２４ｑの縁部に引っ掛けることができる。またこの状態において係合凸部２４ｓは、図示したように操作部上部分２４ｆの下端部に係合していて、取り付けられた操作部下部分２４ｇが、上方に向けて簡単にスライドしないようにしている。また操作部下部分２４ｇにも、力を加える際に指のずれを防止するための凹状部２４ｈが設けられている。
【００４４】
そして本実施形態のトリガー式噴出容器においても、底部１ａに近い胴部１ｂの前方を親指の根元で支持しつつ、他の指は操作レバー２４の凹状部２４ｈに収まるように保持することにより、背中などの手が届きにくい場所にもノズル３ｄを指向させることができる。そして、操作レバー２４を引くことによって、内容液を噴出することができる。なお本実施形態のトリガー式噴出容器においても、前述の実施形態と同様に、操作レバー２４における軸部２ｄ回りの揺動可能な角度は、ステム３ａが昇降移動する際に許容される範囲での係合部３ｅにおける軸部２ｄ回りの揺動可能な角度に対して、それ以下に設定されている。従って、ステム３ａが過剰に移動することはないため、ステム３ａにつながるポンプに悪影響が及ぶことはない。また、操作レバー２４を引いた際にこれが当接する部位は、上述した実施形態と同様に、比較的剛性が高い容器本体１の胴部１ｂであって、操作レバー１４における軸部２ｄ回りの揺動可能な角度が大きく変わることはないため、ポンプ等の破損を有効に防止することができる。
【００４５】
また本実施形態のトリガー式噴出容器は、操作部下部分２４ｇを装着する前の状態ではよりコンパクトになるため、例えば店舗への輸送や店舗での陳列の際に操作レバー２４が邪魔にならずに取り扱いやすくなるという利点がある。そして未装着の操作部下部分２４ｇは、図８に示すように、保持部２４ｒと係合凸部２４ｓで挟むようにして操作部上部分２４ｆに保持させることができる。また図９に示すように、容器本体１に対してフィルムＦ等で巻付けるようにして保持させてもよい。
【００４６】
以上、本発明について具体的な実施形態を示しながら説明したが、本発明に従うトリガー式噴出容器は、上述した実施形態に限られるものではなく、特許請求の範囲に従う範疇で種々の変更を加えたものも含まれる。例えば図４に示したベース２の外周壁２ｆを、図５や図７に示した実施形態に適用してもよい。
【符号の説明】
【００４７】
１：容器本体
１ａ：底部
１ｂ：胴部
１ｃ：口部
１ｄ：雄ねじ部
２：ベース
２ａ：装着筒部
２ｂ：雌ねじ部
２ｃ：支持壁
２ｄ：軸部（支持部）
２ｅ：支持壁傾斜部
２ｆ：外周壁
３：ボディ
３ａ：ステム
３ｂ：縦部分
３ｃ：傾斜部分
３ｄ：ノズル
３ｅ：係合部
３ｆ：突起
４：操作レバー
４ａ：側壁
４ｂ：上向き傾斜部
４ｃ：窓孔
４ｄ：操作レバー補強部
４ｅ：操作部
４ｆ：操作部上部分
４ｇ：操作部下部分
４ｈ：凹状部
４ｊ：内周面
５：キャップ体
５ａ：キャップ部
５ｂ：接続部
５ｃ：ストッパー
５ｄ：接続部補強壁
１４：操作レバー
１４ａ：側壁
１４ｂ：上向き傾斜部
１４ｃ：窓孔
１４ｄ：操作レバー補強部
１４ｅ：操作部
１４ｆ：操作部上部分
１４ｇ：操作部下部分
１４ｈ：凹状部
１４ｋ：ヒンジ
１４ｍ：突起
１４ｎ：孔部
１４ｐ：リブ
２４：操作レバー
２４ａ：側壁
２４ｂ：上向き傾斜部
２４ｃ：窓孔
２４ｄ：操作レバー補強部
２４ｅ：操作部
２４ｆ：操作部上部分
２４ｇ：操作部下部分
２４ｈ：凹状部
２４ｑ：取付け孔
２４ｒ：保持部
２４ｓ：係合凸部
Ｆ：フィルム
Ａ１：操作レバーが支持部回りに揺動可能な角度
Ａ２：ステムが昇降移動する際に許容される範囲での係合部における支持部回りの角度
【図１】
2020083405.tif 000003
【図２】
2020083405.tif 000004
【図３】
2020083405.tif 000005
【図４】
2020083405.tif 000006
【図５】
2020083405.tif 000007
【図６】
2020083405.tif 000008
【図７】
2020083405.tif 000009
【図８】
2020083405.tif 000010
【図９】
2020083405.tif 000011